【手続補正書】
【提出日】平成19年12月26日(2007.12.26)
【手続補正１】
【補正対象書類名】明細書
【補正対象項目名】発明の名称
【補正方法】変更
【補正の内容】
【発明の名称】インターネットＤＴＶシステム、並びに、コマーシャルサーバ及びその制御方法
【手続補正２】
【補正対象書類名】明細書
【補正対象項目名】特許請求の範囲
【補正方法】変更
【補正の内容】
【特許請求の範囲】
【請求項１】
番組と当該番組に重畳表示させるシンボルとを所定の記述で合成し放送するデジタル放送局に設置された放送局側装置と、インターネットに設置されコンテンツを管理するコンテンツ管理サーバ及び該コンテンツに挿入するコマーシャル情報を格納するコマーシャルサーバ、並びに、デジタル放送の受信及びインターネットと接続し、視聴者に設置される端末とを備えるインターネットＤＴＶシステムであって、
前記放送局側装置は、
番組と、視聴者に選択させるシンボルの表示及び当該シンボルが選択された場合のコンテンツの所在を示すアドレス情報及び前記番組のスポンサーを特定する情報を所定の形式で記述した情報を放送する手段を備え、
前記端末は、
前記放送局から前記番組と前記アドレス情報並びに前記スポンサーを特定する情報を受信する手段と、
前記インターネットと接続する接続手段と、
受信した記述に従って、受信した番組に、前記シンボルを合成し、所定の表示装置に出力する第１の出力手段と、
操作者からの指示情報を入力する入力手段と、
入力した指示が前記シンボルに対するものである場合、前記アドレス情報を用いて前記コンテンツ管理サーバに前記接続手段で接続すると共に、前記番組のスポンサーを特定する情報を通知し、前記コンテンツの転送要求を行う要求手段と、
前記コンテンツサーバから受信したコンテンツを前記表示装置に出力する第２の出力手段とを備え、
前記コンテンツ管理サーバは、
前記コンテンツを蓄積する蓄積手段と、
前記端末からの前記転送要求を受信する受信手段と、
前記受信手段によって前記端末からの前記転送要求を受信した際に、前記コマーシャルサーバに前記番組のスポンサーを特定する情報を送信するとともに、前記コマーシャルサーバに前記コンテンツに挿入するコマーシャル情報を要求する手段と、
前記コマーシャルサーバより送られてきたコマーシャル情報を、前記端末が要求したコンテンツに合成して、前記端末に送信する手段とを備え、
前記コマーシャルサーバは、
コマーシャル情報を格納するデータベースと、
前記コンテンツ管理サーバより送信された前記番組のスポンサーを特定する情報に基づいて対応するコマーシャル情報を前記データベースより検索し、前記コンテンツ管理サーバに通知する手段とを備える
ことを特徴とするインターネットＤＴＶシステム。
【請求項２】
前記端末は、デジタル放送によるＭＰＥＧ２のデコーダと、シーン記述としてＢＩＦＳを解釈する手段と、前記コンテンツ管理サーバからのＭＰＥＧ４をデコードする手段を備えることを特徴とする請求項１に記載のインターネットＤＴＶシステム。
【請求項３】
前記端末は、視聴者が所有するＴＶ受像機に接続するセットトップボックスの形態を有することを特徴とする請求項１又２に記載のインターネットＤＴＶシステム。
【請求項４】
前記コマーシャルサーバは更に、コンテンツ管理データベースを備え、前記コマーシャルサーバは前記コンテンツ管理サーバより送信された前記番組のスポンサーを特定する情報と、該コンテンツ管理データベースに含まれる前記コンテンツの関連情報とに基づいて該スポンサーが許可するコマーシャル情報を検索することを特徴とする請求項１に記載のインターネットＤＴＶシステム。
【請求項５】
コンテンツを蓄積し、該コンテンツと該コンテンツに挿入するコマーシャル情報を、デジタル放送局から送られる番組を表示する端末に送信する複数のコンテンツ管理サーバと接続可能であり、該コンテンツ管理サーバの要求によって前記コンテンツに挿入するコマーシャル情報を該コンテンツ管理サーバに送信するコマーシャルサーバであって、
コマーシャル情報を格納するデータベースと、
前記コマーシャル情報のスポンサー情報を管理するコンテンツ管理データベースと、
前記コンテンツ管理サーバより送信された前記番組のスポンサーを特定する情報と、該コンテンツ管理データベースに含まれる前記コンテンツの関連情報とに基づいて該スポンサーが許可するコマーシャル情報を検索し、前記コンテンツ管理サーバに通知する手段とを備えることを特徴とするコマーシャルサーバ。
【請求項６】
コンテンツを蓄積し、該コンテンツと該コンテンツに挿入するコマーシャル情報を、デジタル放送局から送られる番組を表示する端末に送信する複数のコンテンツ管理サーバと接続可能であり、該コンテンツ管理サーバの要求によって前記コンテンツに挿入するコマーシャル情報を該コンテンツ管理サーバに送信するコマーシャルサーバの制御方法であって、
コマーシャル情報をデータベースに格納する第１の格納工程と、
前記コマーシャル情報のスポンサー情報をコンテンツ管理データベースに格納する第２の格納工程と、
前記コンテンツ管理サーバより送信された前記番組のスポンサーを特定する情報と、該コンテンツ管理データベースに含まれる前記コンテンツの関連情報とに基づいて該スポンサーが許可するコマーシャル情報を検索し、前記コンテンツ管理サーバに通知する通知工程とを備えることを特徴とするコマーシャルサーバの制御方法。
【手続補正３】
【補正対象書類名】明細書
【補正対象項目名】０００７
【補正方法】変更
【補正の内容】
【０００７】
【課題を解決するための手段】
この課題を解決するため、例えば本発明のインターネットＤＴＶシステムは以下の構成を備える。すなわち、
番組と当該番組に重畳表示させるシンボルとを所定の記述で合成し放送するデジタル放送局に設置された放送局側装置と、インターネットに設置されコンテンツを管理するコンテンツ管理サーバ及び該コンテンツに挿入するコマーシャル情報を格納するコマーシャルサーバ、並びに、デジタル放送の受信及びインターネットと接続し、視聴者に設置される端末とを備えるインターネットＤＴＶシステムであって、
前記放送局側装置は、
番組と、視聴者に選択させるシンボルの表示及び当該シンボルが選択された場合のコンテンツの所在を示すアドレス情報及び前記番組のスポンサーを特定する情報を所定の形式で記述した情報を放送する手段を備え、
前記端末は、
前記放送局から前記番組と前記アドレス情報並びに前記スポンサーを特定する情報を受信する手段と、
前記インターネットと接続する接続手段と、
受信した記述に従って、受信した番組に、前記シンボルを合成し、所定の表示装置に出力する第１の出力手段と、
操作者からの指示情報を入力する入力手段と、
入力した指示が前記シンボルに対するものである場合、前記アドレス情報を用いて前記コンテンツ管理サーバに前記接続手段で接続すると共に、前記番組のスポンサーを特定する情報を通知し、前記コンテンツの転送要求を行う要求手段と、
前記コンテンツサーバから受信したコンテンツを前記表示装置に出力する第２の出力手段とを備え、
前記コンテンツ管理サーバは、
前記コンテンツを蓄積する蓄積手段と、
前記端末からの前記転送要求を受信する受信手段と、
前記受信手段によって前記端末からの前記転送要求を受信した際に、前記コマーシャルサーバに前記番組のスポンサーを特定する情報を送信するとともに、前記コマーシャルサーバに前記コンテンツに挿入するコマーシャル情報を要求する手段と、
前記コマーシャルサーバより送られてきたコマーシャル情報を、前記端末が要求したコンテンツに合成して、前記端末に送信する手段とを備え、
前記コマーシャルサーバは、
コマーシャル情報を格納するデータベースと、
前記コンテンツ管理サーバより送信された前記番組のスポンサーを特定する情報に基づいて対応するコマーシャル情報を前記データベースより検索し、前記コンテンツ管理サーバに通知する手段とを備えることを特徴とする。